(57)【要約】      （修正有）【課題】大幅に推進距離を延長した推進装置を提供する。【解決手段】管内を高圧流動体の噴射で自走する電磁波発信器を備えたホース付自走推進装置の自走最大推進位置を電磁波検知器で検知し、その位置を地上より開削して管を開口し、その位置で自走推進装置を牽引するためのワイヤーを自走推進装置に取り付け、一度管の挿入口に戻してワイヤーを解除、自走推進装置の自走最大距離より短い位置に再度ワイヤーを取付けて開削地点でワイヤー巻き取り、自走推進装置の先端部付近を開削して管を開口、同ワイヤーの付替および再度管の挿入口へ戻し、これら一連の操作を繰り返す。【選択図】図１
0003156073.tif 000002
【実用新案登録請求の範囲】
【請求項１】
管内を高圧流動体の噴射で自走する電磁波発信器を備えたホース付自走推進装置の自走最大推進位置を電磁波検知器で検知し、その位置を地上より開削して管を開口し、その位置で自走推進装置を牽引するためのワイヤーを自走推進装置に取り付け、一度管の挿入口に戻してワイヤーを解除、自走推進装置の自走最大距離より短い位置に再度ワイヤーを取付けて開削地点でワイヤー巻き取り、自走推進装置の先端部付近を開削して管を開口、同ワイヤーの付替および再度管の挿入口へ戻し、これら一連の操作を繰り返す管の洗浄のための長距離推進牽引装置。
【請求項２】
管内を高圧流動体の噴射で自走するホース付自走推進装置の自走最大推進位置を開削せずに挿入口において自走推進装置を押し込むためのワイヤーを自走推進装置に取り付けて押し込んで後、自走推進装置の先端部付近を開削して管を開口し、その位置で自走推進装置を牽引するためのワイヤーを自走推進装置に取り付けて一度管の挿入口に戻して牽引用のワイヤーおよび押し込み用のワイヤーを解除し、自走最大推進距離に加算した押し込み距離分より短い位置に再度牽引用のワイヤーを取付けて開削地点でワイヤー巻き取りし、以後、これらの操作を繰り返す請求項１の管の洗浄のための長距離推進牽引装置。
【考案の詳細な説明】
【技術分野】
【０００１】
本考案は、管内に挿入した自走推進装置（以下、推進装置と称する）の推進技術に関するものである。
【背景技術】
【０００２】
従来の管内に挿入した推進装置の推進に関しては、推進装置の自走能力限度以上の長距離化を実現する手段は見当たらない。
尚、この長距離化を実現するために同一出願人による特許出願がなされているが、本考案はその特許における工法の実施のための装置に関するものである
【考案の開示】
【考案が解決しようとする課題】
【０００３】
管内を推進する推進装置は推進距離の増大とともに、装置の関連物をも含む装置全体の重量的負荷および摩擦や曲部での抵抗等が増し、自走能力による自走距離には限度がある。
実際にはその限度以上の大幅な推進距離を求められることがあるにもかかわらず、従来の技術には推進装置の自走能力以上の大幅な推進距離延長の有効な手段は見当たらない。
【課題を解決するための手段】
【０００４】
管内に挿入した推進装置の発生する電磁波を検知器で捕捉した推進装置の位置を開削、推進装置のワイヤーを取り付け、この推進装置を一度挿入口に戻してワイヤーを解除、推進装置の最大推進距離より短い位置に再度同ワイヤーを取付け、自走最大推進距離に加算した牽引距離分あるいは自走最大推進距離に加算した押し込み距離分の位置における開削地点でのワイヤーを巻き取り、これらの操作の組み合わせによって推進距離の延長を実現する。
【考案の効果】
【０００５】
本考案のワイヤー使用による横方向の推進長距離化によって、従来、自走能力限度の距離までしか果たせなかった管の洗浄、検査、補修等の多様な目的をより飛躍的に高めることができる。
【考案を実施するための最良の形態】
【０００６】
高圧水噴射による農業用暗渠排水管（以下、管と称する）内壁の洗浄装置の場合、推進装置の自走能力限度の距離までしかできなかった管内壁の洗浄、検査、補修が全距離において実現した。
【実施例１】
【０００７】
本考案の最良な実施の形態であるが、地中の管を高圧水の噴射による洗浄装置を用いて洗浄する場合の基本的な実施例を挙げ、以下、下記の図面を用いて説明する。
図１、図２は本考案の装置使用の全体を示す。
図３〜図１３は本装置の作業の流れを示したものである。
【０００８】
図３についてであるが、地１の地中に埋設されている管２の中を挿入口（Ａ地点）より矢印方向に、頭部の噴射ノズル５（以下、ノズルと称する）および高圧流動体用ホース４（以下、ホースと称する）から成る高圧流動体の噴射で自走する推進装置が自走能力の最大限度の位置に達した状態を示し、この位置をＢ地点とする。
【０００９】
まず請求項１に関して述べる。
【００１０】
その位置で図４のように地１を開削部３のように開削し、推進装置の頭部の噴射ノズル５が露見でき、かつ以下の作業ができるように管２を開口する。
【００１１】
開削部３の位置にワイヤー牽引装置（以下、本装置という）を図５のように設置する。
【００１２】
すなわち、主としてフック７、脚８、ハンドル９、ワイヤー巻取り１０、三脚１１、溝滑車１２、滑車軸１２−１、ワイヤーはずれ止め１３、柱１４、ワイヤー１５、から成る本装置の脚８を図６のように管２を跨いで地に差込み、本装置が安定するように三脚１１を調節する。
【００１３】
次に管２の開口部において、本装置のワイヤー１５をワイヤーはずれ止め１３の内側および本装置の下端に滑車軸１２−１で取付けられている溝滑車１２に通し、ワイヤー１５の先端のフック７をホース４にあらかじめノズル５近くに設けた帯紐等の拘束具６−１に取付ける。
【００１４】
図５においてフック７に掛けられたホース４は矢印の右方向に図７のように挿入口（Ａ地点）まで戻してフック７を拘束具６−１から解除し、Ａ地点からＢ地点までの距離より短い位置に、拘束具６−２を取り付ける。
【００１５】
これを自走最大距離の推進地点（Ｂ地点）まで推進させた状態が図８で、ここから本装置のハンドル９を操作して
【００１６】
図９のように、拘束具６−２がＢ地点に位置するまで推進装置を牽引し、前方の拘束具６−１の位置した地点（Ｃ地点とする）を電磁波検知する。
【００１７】
図１０のように、Ｃ地点の地中を開削して管４を開口した後、拘束具６−２に取り付けたフック７を解除して、本装置をＢ地点からＣ地点に移動する。
【００１８】
Ｃ地点においてこれまでと同様に拘束具６−１にフック７を取り付けた後、図７の様に挿入口（Ａ地点）まで推進装置を戻してフック７を拘束具６−１から解除し、Ａ地点からＣ地点までの距離より短い位置に拘束具６−３（略）を取り付け、以降これまでの操作を繰り返す
【００１９】
次に請求項２に関して述べる。
【００２０】
前記０００８に述べた図３の位置において、図１１のように挿入口でホース４の拘束具６−２に押し込み用ワイヤー１６を取り付けて推進装置を押し込む。
【００２１】
図１２のように押し込み可能な最大推進距離のＢＢ地点まで予めホース４の先頭部に取付けていた拘束具６-１が到達したその位置を開削、管２を開口して本装置を設置し、拘束具６-１にフック７を取付けて挿入口に推進装置を戻す。
【００２２】
以下、これまでの操作を繰り返す本装置の牽引によって推進装置の推進長距離化を実現する。
【図面の簡単な説明】
【００２３】
【図１】本考案の牽引用ワイヤーを使用したときの装置を示す断面図である。
【図２】押し込み用ワイヤーを使用したときの装置を示す断面図である。
【図３】挿入口（Ａ地点）より地中の管内を推進装置が最大距離自走した位置（Ｂ地点）の断面図
【図４】図３の位置における開削部と管の開口部の断面図
【図５】図３の開削部および管の開口部に牽引推進のための装置を設置した状態を示す断面図。
【図６】管開口部における牽引推進のための装置の設置状況を推進方向から見た拡大断面図。
【図７】牽引推進のための装置のフックを推進装置に取り付けた後、挿入口（Ａ地点）まで引き戻した状態の断面図。
【図８】推進装置のＡ地点からＢ地点までの自走最大距離より短い位置に2番目の拘束具を取り付けた後、推進装置を再度自走させた状態の断面図。
【図９】図８の位置から２個目の拘束具を最初の管開口部（Ｂ地点）まで牽引した状態の断面図。
【図１０】図９における推進装置の最初の拘束具の位置（Ｃ地点）を開削し、かつ管を開口して牽引推進のための装置を移動した状態の断面図。
【図１１】挿入口において拘束具に押し込み用ワイヤーを取付けた状態の断面図。
【図１２】押し込み可能な最大推進距離における推進装置の頭部位置での開削、管の開口、拘束具に牽引用ワイヤーを取付けた状態の断面図。
【図１３】検知作業の実施例図
【符号の説明】
【００２４】
１          地
２          管
３          開削部
４          ホース
５          ノズル
６−１      拘束具
６−２      拘束具
７          フック
８          脚
９          ハンドル
１０        ワイヤー巻取り
１１        三脚
１２        溝滑車
１２−１    滑車軸
１３        ワイヤーはずれ止め
１４        柱
１５        牽引用ワイヤー
１６        押し込み用ワイヤー
１７        高圧流動体の噴射
１８        電磁波発信器
１９        電磁波検知器
２０        開口部
【図１】
0003156073.tif 000003
【図２】
0003156073.tif 000004
【図３】
0003156073.tif 000005
【図４】
0003156073.tif 000006
【図５】
0003156073.tif 000007
【図６】
0003156073.tif 000008
【図７】
0003156073.tif 000009
【図８】
0003156073.tif 000010
【図９】
0003156073.tif 000011
【図１０】
0003156073.tif 000012
【図１１】
0003156073.tif 000013
【図１２】
0003156073.tif 000014
【図１３】
0003156073.tif 000015